(57)【要約】【課題】保温性が高く、且つ、保温材を容易に浴槽の外面に貼着することができる断熱浴槽を提供する。【解決手段】浴槽１の外面に接着剤で保温材３を貼着してなる断熱浴槽において、前記接着剤が溶剤を含まない酢酸ビニル樹脂又はアクリル樹脂系の水性エマルジョン接着剤に発泡ビーズを混ぜた発泡ビーズ入り接着剤５で構成される。【選択図】図１
2010233919.tif 000002
【特許請求の範囲】
【請求項１】
浴槽の外面に接着剤で保温材を貼着してなる断熱浴槽において、前記接着剤が溶剤を含まない酢酸ビニル樹脂又はアクリル樹脂系の水性エマルジョン接着剤に発泡ビーズを混ぜた発泡ビーズ入り接着剤で構成されることを特徴とする断熱浴槽。
【発明の詳細な説明】
【技術分野】
【０００１】
本発明は断熱浴槽に関する。
【背景技術】
【０００２】
近年、例えば特許文献１に示すように、浴槽の保温を目的として浴槽の外面に発泡スチロール等からなる保温材を貼着した断熱浴槽が利用されている。
【０００３】
一般に前記保温材はシリコーン接着剤を用いて浴槽の外面に貼着される。具体的には、図４に示すように、浴槽１の外面における図４中白丸で示した多数の箇所にシリコーン接着剤１１を点付けし、このように点付けされたシリコーン接着剤１１で保温材３が浴槽１の外面に貼着される（図６→図５）。
【先行技術文献】
【特許文献】
【０００４】
【特許文献１】特開２００７−２９６２３７号公報
【発明の概要】
【発明が解決しようとする課題】
【０００５】
ところで、前記シリコーン接着剤１１は接着剤自体の断熱性が低く、このためシリコーン接着剤１１を通じて浴槽１の熱が外部へ逃げやすく、断熱浴槽の保温性を低下させる要因となる。
【０００６】
また、前記シリコーン接着剤１１は粘度が高いため、浴槽１の外面に亘って塗布することが困難であり、このため既述のように浴槽１の外面に点付けされるのだが、このようにシリコーン接着剤１１を浴槽１の外面に点付けした場合、図５のように浴槽１の外面と保温材３との間に隙間１０が形成されてしまい、この点も断熱浴槽の保温性を低下させる要因となる。
【０００７】
本発明は上記従来の事情に鑑みてなされたものであって、保温性が高く、且つ、保温材を容易に浴槽の外面に貼着することができる断熱浴槽を提供することを課題とする。
【課題を解決するための手段】
【０００８】
上記課題を解決するために本発明は、浴槽１の外面に接着剤で保温材３を貼着してなる断熱浴槽を提供する。そして、前記接着剤が溶剤を含まない酢酸ビニル樹脂又はアクリル樹脂系の水性エマルジョン接着剤に発泡ビーズを混ぜた発泡ビーズ入り接着剤５で構成されることを特徴とする。
【発明の効果】
【０００９】
本発明にあっては、浴槽の外面に保温材を貼着するための接着剤が、溶剤を含まない酢酸ビニル樹脂又はアクリル樹脂系の水性エマルジョン接着剤に発泡ビーズを混ぜた発泡ビーズ入り接着剤で構成されるため、発泡ビーズ入り接着剤に含まれる発泡ビーズにより接着剤自体の断熱性を高めて保温性の高い断熱浴槽を提供できる。しかも、発泡ビーズ入り接着剤は酢酸ビニル樹脂又はアクリル樹脂系の粘性の低い水性エマルジョンを主成分とするため、浴槽と保温材の間にほとんど隙間のない状態で行き渡らせることができ、これによって断熱浴槽の保温性をより一層高めることができる。しかも、発泡ビーズ入り接着剤は粘性が低いため、浴槽の外面の広い範囲に亘って容易に塗布することができ、作業性も良い。
【図面の簡単な説明】
【００１０】
【図１】本発明の実施形態の一例の断熱浴槽の断面図である。
【図２】同上の発泡ビーズ入り接着剤を塗布する箇所を斜線で示した浴槽の斜視図である。
【図３】同上の発泡ビーズ入り接着剤を塗布した浴槽外面に保温材を貼着する前の状態を示す断面図である。
【図４】従来のシリコーン接着剤を塗布する箇所を白丸で示した浴槽の斜視図である。
【図５】同上の断熱浴槽の断面図である。
【図６】同上のシリコーン接着剤を塗布した浴槽外面に保温材を貼着する前の状態を示す断面図である。
【発明を実施するための形態】
【００１１】
以下、添付図面に基づいて本発明の実施形態について説明する。
【００１２】
本実施形態の一例の断熱浴槽は、浴槽１の槽部２の外面に１又は複数の保温材３を貼着してなり、保温材３によって浴槽１の保温性を高めるものである。
【００１３】
図２に示すように、浴槽１は、槽部２と、槽部２の上端部から外方に向けて一体に突出し、槽部２の周方向の全長に形成されるフランジ部４とで構成され、浴室に設置される。
【００１４】
浴槽１は例えば人造大理石製であって、不飽和ポリエステル樹脂や、熱硬化型アクリル樹脂等の熱硬化性樹脂に、充填剤、内部離型剤、硬化剤、柄材等の添加物を配合した樹脂組成物を成形材料として注型用成形型に注入し、これを加熱硬化させることにより成形される。
【００１５】
一方、保温材３は浴槽１の槽部２の外面に沿った板状のものであり、例えば断熱性の高い発泡スチロール製のものが用いられる。保温材３は浴槽１の槽部２の外周面の全体及び底部の外面の全体に亘って貼着され、槽部２の全体を外側から覆う。
【００１６】
保温材３は図１に示すように発泡ビーズ入り接着剤５を介して槽部２の外面に貼着される。
【００１７】
発泡ビーズ入り接着剤５は溶剤を含まない酢酸ビニル樹脂又はアクリル樹脂系の水性エマルジョン接着剤に多数の発泡ビーズを混ぜ合わせたものである。
【００１８】
水性エマルジョン接着剤としては、エチレン−酢酸ビニル共重合体、アクリル系共重合体、ポリウレタン樹脂、及び架橋剤を含有するものを用いることが好適である。
【００１９】
発泡ビーズは直径が１ｍｍ程度であり、発泡スチロールや、発泡ポリプロピレン、発泡ウレタン等からなる。前記発泡ビーズとしては、リサイクルを目的として、廃却された発泡スチロールや、発泡ポリプロピレン、発泡ウレタン等を粉砕して得られる微粉末等が使用されるが、廃却されたものに限定されるものではない。なお、発泡ビーズ入り接着剤５は、前記発泡スチロールや、発泡ポリプロピレン、発泡ウレタンのうち２種以上を含むものであってもよい。
【００２０】
発泡ビーズ入り接着剤５は主成分として水性エマルジョン接着剤を有するため粘度が低く、また、この水性エマルジョン接着剤に発泡ビーズを混ぜることで高い断熱性も有している。
【００２１】
前記発泡ビーズ入り接着剤５を用いて浴槽１の外面に保温材３を取り付けるには、図２に斜線で示した箇所、すなわち、槽部２の外周面の略全体及び底部の外面の略全体に亘って発泡ビーズ入り接着剤５を塗布し、この後、前記発泡ビーズ入り接着剤５を介して槽部２の外面に保温材３を貼着する。
【００２２】
このようにして形成された断熱浴槽は、保温材３による保温効果に加えて、発泡ビーズ入り接着剤５に含まれる発泡ビーズによって保温性が増す。しかも、図１のように浴槽１と保温材３の間に発泡ビーズ入り接着剤５を行き渡らせて、浴槽１の外面とこれに対向する保温材３の間をほとんど隙間のない状態とすることができ、より保温性の高い断熱浴槽とすることができる。また、この発泡ビーズ入り接着剤５は酢酸ビニル樹脂又はアクリル樹脂系の粘性の低い水性エマルジョンを主成分とするため、本例のように浴槽１の外面の広い範囲に亘って容易に塗布することができ、作業性が向上する。
【００２３】
なお、保温材３は浴槽１の槽部２の外面にのみ貼着されるものであってもよいし、槽部２の外面に加えて、フランジ部４の下面にも前記発泡ビーズ入り接着剤５を介して貼着してもよく、また、槽部２の外面の一部にのみ前記発泡ビーズ入り接着剤５を介して貼着してもよい。
【００２４】
また、上記例では保温材３を浴槽１の外面に貼着するにあたって、浴槽１の外面に発泡ビーズ入り接着剤５を塗布したが、保温材３の浴槽１に対向する面に前記発泡ビーズ入り接着剤５を塗布してもかまわない。
【符号の説明】
【００２５】
１  浴槽
３  保温材
５  発泡ビーズ入り接着剤
【図１】
2010233919.tif 000003
【図２】
2010233919.tif 000004
【図３】
2010233919.tif 000005
【図４】
2010233919.tif 000006
【図５】
2010233919.tif 000007
【図６】
2010233919.tif 000008